(57)【要約】【課題】  単一部位周辺に複数チャンネルの複数対導子を配置した場合に、通電感が単調であり変化に欠けるという欠点に対して、痛電の慣れを無くし変化に富んだ刺激を患者に付与できるシーケンス式低周波治療器を提供すること。【解決手段】  複数の出力チャンネル５を備え、各出力チャンネル５から出力されるパルス電圧又はパルス電流を人への治療刺激とし、各出力チャンネル５から出力されるパルス電圧又はパルス電流の周波数は、時間の経過と共に変化するシーケンスが予め設定されており、該シーケンスは全出力チャンネル５に共通に作用するシーケンス式低周波治療器１において、各出力チャンネル５間のシーケンスが一巡する時間関係を、変更することが可能であるか、又は、各出力チャンネル５間のシーケンスが一巡する時間関係は、同じで、各出力チャンネル５間の周波数を変更することが可能であるシーケンス式低周波治療器である。  【選択図】      図１
2005152412.tif 000002
【特許請求の範囲】
【請求項１】
複数の出力チャンネル（５）を備え、各出力チャンネル（５）から出力されるパルス電圧又はパルス電流を人への治療刺激とし、各出力チャンネル（５）から出力されるパルス電圧又はパルス電流の周波数は、時間の経過と共に変化するシーケンスが予め設定されており、該シーケンスは全出力チャンネル（５）に共通に作用するシーケンス式低周波治療器（１）において、
各出力チャンネル（５）間のシーケンスが一巡する時間関係を、変更することが可能であるか、
又は、各出力チャンネル（５）間のシーケンスが一巡する時間関係は、同じで、各出力チャンネル（５）間の周波数を変更することが可能であることを特徴とするシーケンス式低周波治療器。
【請求項２】
１回の治療時間内でシーケンスは繰り返し実行され、各出力チャンネル（５）間のシーケンスが一巡する時間関係は、一巡シーケンス内で出力チャンネル（５）毎に出力の位相が異なるものであることを特徴とする請求項１記載のシーケンス式低周波治療器。
【請求項３】
各出力チャンネル（５）間のシーケンスが一巡する時間関係が、異なるものであるか一致するものであるかを選択できることを特徴とする請求項２記載のシーケンス式低周波治療器。
【請求項４】
各出力チャンネル（５）間のシーケンスが一巡する時間関係は、同一のものであり、各出力チャンネル（５）間のパルス電圧又はパルス電流の周波数は、各出力チャンネル（５）毎の基準とされる周波数から少し異なる周波数に設定されることを特徴とする請求項１記載のシーケンス式低周波治療器。
【発明の詳細な説明】
【技術分野】
【０００１】
本発明は、人体患部に低周波電流を通電し、電気治療を施すシーケンス式低周波治療器に関する。
【背景技術】
【０００２】
従来技術の特公平８−１７８２４号公報には、制御部と一対の導子とでなる低周波治療器を複数個用いて、各々の低周波治療器の出力を同期させて使用する低周波治療器システムが開示されている。
【０００３】
前記従来技術によれば、複数の低周波治療器を使用する場合に、簡単に同期がとれて、治療者に不快感を与えることのない低周波治療器が提供できる。
しかし、従来の複数対の導子を有する低周波治療器システムは、各導子対の出力は常に同じ周波数に同期して出力されるため、治療感が単調であった。
【０００４】
特に、単一部位周辺に複数対の導子を配置して治療した場合、あたかも単導子対のみで刺激した感じであり、強さは増すものの複数対の導子を装着した利点を生かしていなかった。
又、特開２０００−２４５３６３号公報には、複数対の導子を用いたもので、出力（電圧値又は電圧値）を互いに時間をずらして順次通電する多チャンネル式低周波治療器が開示されているが、当該治療器の刺激感は変化に乏しいものであった。
【特許文献１】特公平８−１７８２４号公報
【特許文献２】特開２０００−２４５３６３号公報
【発明の開示】
【発明が解決しようとする課題】
【０００５】
解決しようとする問題点は、単一部位周辺に複数チャンネルの複数対の導子を配置した場合に、通電感が単調であり変化に欠けるという点である。
本発明の特徴は、複数対の導子に、同時に、互いに異なる周波数の電力が掛かり、通電が行われる点にある。
又、各導子対には、途切れることなく連続して、治療用電力が付与されており患部を刺激している点にある。
更に、特定した複数の互いに異なる周波数のそれぞれが、順次他の導子対へ規則的に移動していくものであり、刺激位置の移動感が強く得られる点にある。
更に又、「押さえる」、「叩く」、「揉む感じ」等の刺激の発生位置が変化し、これらの特異な刺激（＝発生感覚）を同期設定器の操作により簡単に変更できるシステムを構築した点にある。
【課題を解決するための手段】
【０００６】
本発明は、複数の出力チャンネル（５）を備え、各出力チャンネル（５）から出力されるパルス電圧又はパルス電流を人への治療刺激とし、各出力チャンネル（５）から出力されるパルス電圧又はパルス電流の周波数は、時間の経過と共に変化するシーケンスが予め設定されており、該シーケンスは全出力チャンネル（５）に共通に作用するシーケンス式低周波治療器（１）において、各出力チャンネル（５）間のシーケンスが一巡する時間関係を、変更することが可能であるか、又は、各出力チャンネル（５）間のシーケンスが一巡する時間関係は、同じで、各出力チャンネル（５）間の周波数を変更することが可能であることを特徴とするシーケンス式低周波治療器である。
又、１回の治療時間内でシーケンスは繰り返し実行され、各出力チャンネル（５）間のシーケンスが一巡する時間関係は、一巡シーケンス内で出力チャンネル（５）毎に出力の位相が異なるものである。
更に、各出力チャンネル（５）間のシーケンスが一巡する時間関係が、異なるものであるか一致するものであるかを選択できる。
更に又、各出力チャンネル（５）間のシーケンスが一巡する時間関係は、同一のものであり、各出力チャンネル（５）間のパルス電圧又はパルス電流の周波数は、各出力チャンネル（５）毎の基準とされる周波数から少し異なる周波数に設定される。
【発明の効果】
【０００７】
本発明は、全出力チャンネル５に共通に作用するシーケンス式低周波治療器において、各出力チャンネル５間のシーケンスが一巡する時間関係を、変更することが可能であるか、又は、各出力チャンネル５間のシーケンスが一巡する時間関係は、同じで、各出力チャンネル５間の周波数を変更することが可能である。
従来の、多出力チャンネルの低周波治療器は、各出力チャンネルから常に同一周波数のパルスが同期して出力されるため、一つの治療部位周辺に複数の出力チャンネルの導子を装着して治療する場合に、力強さは感じるが変化感に欠けるという欠点、及び、各出力チャンネル毎に刺激周波数の変化のシーケンスを設定すれば、上記の変化感は得られるものの設定に手間が掛かり使いにくいという問題点があったが、これらの問題を解決できた。
即ち、患部を刺激する出力の周波数が異なるため、単調さが無く変化が大きく、多彩で複雑な感じを与え、「慣れ」が起こりにくく、好都合である。
又、各出力チャンネル５から出力される周波数の変化のシーケンスは各出チャンネル５にわたって同一であり、各出力チャンネル５のシーケンスを実行する時間関係は、設定や変更が容易に可能であり、好都合である。
【０００８】
本発明は、１回の治療時間内でシーケンスが繰り返し実行され、各出力チャンネル５間のシーケンスが一巡する時間関係は、一巡シーケンス内で出力チャンネル５毎の出力の位相が異なる。この構成によれば、シーケンスは繰り返し実行される形態で、一巡シーケンス内での位相が異なるため、理解し易く、且つ、設定が簡単であり、好都合である。
【０００９】
又、連続的な刺激感（＝筋肉の収縮感、揉み感）とタンタンと叩く感じを混在させることが簡単に出来、好都合である。
【００１０】
本発明は、各出力チャンネル５間のシーケンスが一巡する時間関係が、異なるものであるか一致するものであるかを選択できる。この構成によれば、一巡するシーケンス内での位相が異なるものと、一巡するシーケンス内での位相が一致するものとのいずれかを選択でき、使い分けが容易であり、好都合である。
【００１１】
本発明に係る各出力チャンネル５間のシーケンスが一巡する時間関係は、同一のものであり、各出力チャンネル５間のパルス電圧又はパルス電流の周波数は、各出力チャンネル５毎の基準とされる周波数から少し異なる周波数に設定されるものであり、前記シーケンスは、各出力チャンネル５毎の周波数の増減値は頭初に設定した値に固定し推移するシーケンスである。
【００１２】
この構成によれば、各出力チャンネル５毎にその出力に若干の周波数の差があるため、周波数変化の力強い感覚を得ることができ、更に、各出力チャンネル５での周波数の差による刺激の干渉感を得ることができ、好都合である。
【発明を実施するための最良の形態】
【００１３】
複数チャンネル５の複数対導子６を単一部位周辺に配置した場合の、通電感を改善するという目的を、各出力チャンネル５間のシーケンスが一巡する時間関係が、異なるシーケンスによって変更できるものにして、実現した。
【実施例１】
【００１４】
図１、２、３、４に示す本発明のシーケンス式低周波治療器１は、患者に低周波治療を施すものである。
シーケンス式低周波治療器１は、操作設定表示部２と、シーケンス生成部３と、同期制御回路４と、甲出力チャンネル５ａと、乙出力チャンネル５ｂと、Ｎ出力チャンネル５ｎとからなる。出力チャンネル５の出力は患者１７に付与される。
【００１５】
操作設定表示部２は、刺激波形及び周波数を設定する刺激波形設定器７と、同期信号下で作動する各モードを選択し、設定する同期設定器８と、治療時間を設定する治療時間設定器９と、低周波治療器の開始と停止を指令する開始停止指令器１０と、出力の強さ（パルスの振幅）を設定する出力強度設定器１１と、出力に係る状態、大きさ、残時間等を、数値及びグラフで表示する表示器１２と、作動に係る状況をランプ点灯、音声、ブザーの鳴動等で報知する報知器１３等からなる。
【００１６】
シーケンス生成部３は、操作設定表示部２の設定信号に応じて、複数の刺激波形、及び、複数の周波数を組み合わせて複数のパルスを作り、順序だてて出力させるという動作シーケンスを生成するものである。
同期制御回路４は、操作設定表示部２が出力する同期設定信号に応じて、各チャンネル５に付与する同期信号を生成するものである。
【００１７】
甲・乙・Ｎ出力チャンネル５ａ・５ｂ・５ｎは、波形生成回路１４と、パルス増幅回路１５と、絶縁トランス１６と、導子６とをそれぞれが有しており、甲・乙・Ｎ出力チャンネル５ａ・５ｂ・５ｎは、いずれも同等の構成であり個別に作動する。
【００１８】
波形生成回路１４は、シーケンス生成部３からの波形、周波数設定信号に応じて、波形、周波数のパルス電圧を生成し、同期制御回路４からの同期信号に応じて、パルス信号を出力するものである。前記パルス電圧はパルス電流に代えてもよい。
パルス増幅回路１５は、波形生成回路１４からのパルス信号を電圧・電流増幅するものである。
【００１９】
絶縁トランス１６は、パルス増幅回路１５と導子６の間の絶縁を図り、チャンネル５間を絶縁するものである。
導子６（甲・乙・Ｎ導子６ａ・６ｂ・６ｎ）は、パルス増幅回路１５からの刺激出力（＝パルス電圧）を患者１７に付与するものである。
【００２０】
本発明は複数の出力チャンネル５を備えており、その複数の出力チャンネル５から出力されるパルス電圧を、導子６を介して患者１７へ付与し、通電により刺激又は鎮痛し、患者を治療する。
【００２１】
操作設定表示部２に配設される押釦スイッチ（図示省略）を操作して、低周波治療器の刺激波形を設定し、同期・非同期等を設定し、治療時間を設定し、開始又は停止を指示する。更に、操作設定表示部２に配設されるボリューム（図示省略）を操作して出力強度を設定する。
【００２２】
シーケンス生成部３に予め設定されているシーケンスは、各出力チャンネル５から出力されるパルス電圧の周波数を、時間の経過と共に変化させる。該シーケンスは全出力チャンネル５に共通に作用する。
【００２３】
各出力チャンネル５間のシーケンスが一巡する時間関係を、変更することが可能である。即ち、異位相シーケンス、同位相シーケンス、ずらしシーケンスのいずれかを適宜選択し設定することによって、前記時間関係は変更できる。
又は、各出力チャンネル５間のシーケンスが一巡する時間関係は同じで、各出力チャンネル５間の周波数を変更できる。
１回の治療時間内でシーケンスは繰り返し実行される。又、治療中であってもシーケンスを他のシーケンスに変更できる。
【００２４】
シーケンスの内、異位相シーケンスでは、各出力チャンネル５間のシーケンスが一巡する時間関係は、一巡シーケンス内で、出力チャンネル５毎の出力の位相が異なる。
即ち、ある特定周波数を注目して見ると、各出力チャンネル５間で当該特定周波数の開始時点が一定時間ずつずれた関係となる。
【００２５】
即ち、図１に示すように、甲出力チャンネル５ａが５Ｈｚの周波数の低周波電圧を出力している初頭の５秒間は、乙出力チャンネル５ｂは１５Ｈｚの周波数の低周波電圧を出力しており、Ｎ出力チャンネル５ｎは１０Ｈｚの周波数の低周波電圧を出力している。
【００２６】
続いて、次の５秒間に出力する低周波電圧の周波数は、甲出力チャンネル５ａが１０Ｈｚ、乙出力チャンネル５ｂが５Ｈｚ、Ｎ出力チャンネル５ｎが１５Ｈｚとなり、更に、次の５秒間に出力する低周波電圧の周波数は、甲出力チャンネル５ａが１５Ｈｚ、乙出力チャンネル５ｂが１０Ｈｚ、Ｎ出力チャンネル５ｎが５Ｈｚとなる。
当該シーケンスに係る出力は、異なる位相の周波数の低周波電圧を出力しつつ１５秒間で一巡し、上記周波数の態様を繰り返す。
図１において、５Ｈｚの周波数の低周波電圧を出力の始点とすると、各出力チャンネル５間の時間関係は、５秒ずつずれた関係になっている。
【００２７】
シーケンスの内、同位相シーケンスでは、各出力チャンネル５間のシーケンスが一巡する時間関係は、一巡シーケンス内で、出力チャンネル５毎の出力の位相が同じになる。
【００２８】
即ち、図３に示すように、初頭の５秒間は、甲・乙・Ｎ出力チャンネル５ａ・５ｂ・５ｎが共に５Ｈｚの周波数の低周波電圧を出力し、次の５秒間は、甲・乙・Ｎ出力チャンネル５ａ・５ｂ・５ｎが共に１０Ｈｚの周波数の低周波電圧を出力し、次の５秒間は、甲・乙・Ｎ出力チャンネル５ａ・５ｂ・５ｎが共に１５Ｈｚの周波数の低周波電圧を出力し、１５秒間でシーケンスを一巡し、この出力態様を繰り返す。
【００２９】
シーケンスの内、ずらしシーケンスでは、各出力チャンネル５間のシーケンスが一巡する時間関係は、一巡シーケンス内で、出力チャンネル５毎の出力の位相が同一であり、且つ、各出力チャンネル５間のパルス電圧の周波数は、各出力チャンネル５の基準とされた周波数から少し異なる値（＝ずらした値）に設定する。
【００３０】
即ち、図２に示すように、初頭の５秒間は、甲出力チャンネル５ａが５Ｈｚの周波数の低周波電圧を出力し、乙出力チャンネル５ｂは５．１Ｈｚの周波数の低周波電圧を出力し、Ｎ出力チャンネル５ｎは４．９Ｈｚの周波数の低周波電圧を出力する。
【００３１】
続いて、次の５秒間に出力する低周波電圧の周波数は、甲出力チャンネル５ａが１０Ｈｚ、乙出力チャンネル５ｂが１０．１Ｈｚ、Ｎ出力チャンネル５ｎが９．９Ｈｚとなり、更に、次の５秒間に出力する低周波電圧の周波数は、甲出力チャンネル５ａが１５Ｈｚ、乙出力チャンネル５ｂが１５．１Ｈｚ、Ｎ出力チャンネル５ｎが１４．９Ｈｚとなり、この出力態様を繰り返す。
【００３２】
各出力チャンネル５間のシーケンスが一巡する時間関係が、異なるものであるか、一致するものであるか、又はずらし周波数のものであるかを、操作設定表示部２の同期設定器８で選択できる。
【００３３】
波形生成回路１４は、波形周波数設定信号に応じた波形、周波数のパルスを生成する。前記波形生成回路１４はシーケンス生成部３の同期信号に応じてパルス信号を出力する。パルス増幅回路１５は、波形生成回路１４からのパルス信号を電圧・電流増幅する。
【００３４】
絶縁トランス１６は、出力チャンネル５間を絶縁する。導子６は、パルス増幅回路１５からの低周波出力を患者１７に付与し、患者１７の体内に通電する。
【産業上の利用可能性】
【００３５】
本発明は、複数出力チャンネル５の複数対導子６を単一部位周辺に配置した場合の、通電感を改善する用途に適用できる。
【図面の簡単な説明】
【００３６】
【図１】本発明の実施例の異位相シーケンスを示すグラフである。
【図２】本発明の実施例のずらしシーケンスを示すグラフである。
【図３】本発明の実施例の同位相シーケンスを示すグラフである。
【図４】本発明の実施例を示すブロック図である。
【符号の説明】
【００３７】
１    シーケンス式低周波治療器
５    出力チャンネル
【図１】
2005152412.tif 000003
【図２】
2005152412.tif 000004
【図３】
2005152412.tif 000005
【図４】
2005152412.tif 000006